(57)【特許請求の範囲】
【請求項１】
少なくともネジ締めタイプのヒュージブルリンクを挿入する収納部を上方に有すると共に、前記ヒュージブルリンクに接続されるバスバーを内部に一体的に配設した絶縁ハウジングが、前記バスバーを導出させて電源を分配供給するコネクタを連設させてなるヒューズボックスにおいて、
前記コネクタを前記収納部に対向した下方位置に形成し、
前記バスバーは、前記コネクタ内に導出する部位が前記ヒュージブルリンクを接続する部位より絶縁ハウジング内方に位置するように折曲されたことを特徴とするヒューズボックス。
【請求項２】
前記ヒュージブルリンク及び前記バスバーを貫通するボルトが螺合するナットを絶縁ハウジング内に挿入して前記絶縁ハウジングに一体的に組み込むと共に、ナット挿入域を、前記コネクタのコネクタ挿入域の内側に形成したことを特徴とする請求項１記載のヒューズボックス。
【請求項３】
前記ナット挿入域と前記コネクタ挿入域との境界に、コネクタ接続される相手側コネクタの挿入深さを規制する当接面が設けられていることを特徴とする請求項２記載のヒューズボックス。
【発明の詳細な説明】
【０００１】
【発明の属する技術分野】
本発明は、例えば自動車の車両バッテリと電装品との間に配置してバッテリ・電装品間の異常電流を遮断するヒューズボックスの構造に関するものである。
【０００２】
【従来の技術】
この種のヒューズボックスとして、例えば図５、図６に示すような構造のものがある。図５は従来のヒューズボックスの縦断面図であり、図６は図５の矢線Ｆからみた下面図である。なお、図６においては、図面を簡明にするため、電線、該電線に接続された接続端子等は省略してある。
このヒューズボックス７０は、絶縁ハウジング７１の上面に、複数（図示は２つ）の大電流ヒュージブルリンク用の収納部７３、７３と、１つの中電流以下のヒュージブルリンク用の収納部７５とが並設してある。そして、大電流用の収納部７３、７３には、ネジ締めタイプのヒュージブルリンク３０が挿入可能になされ、中電流以下用の収納部７５には、差し込みタイプのヒュージブルリンク３５が挿入可能になされている。
【０００３】
一方、絶縁ハウジング７１内には、１枚のバスバー７７と、複数個（図示は４個）のナット７９（図６参照）とが一体的に組み込まれている。
ネジ締めタイプのヒュージブルリンク３０は、それらの一対のヒューズ端子３２の片側の端子がバスバー７７の内表面に当接された状態で、該ヒューズ端子３２に、電線４４接続されてバスバー７７の外表面に重ね合わされる接続端子（丸型端子）４２及びバスバー７７を貫通させたボルト４０を嵌挿して、バスバー７７の内面側に配設したナット７９に螺合させることにより、絶縁ハウジング７１内に着脱自在に固定される。なお、ヒュージブルリンク３０の他方の端子も、同様に、ボルト・ナットにより固定される。
【０００４】
また、バスバー７７は、端部において中電流以下用の収納部７５内に延伸して差し込みタイプのヒュージブルリンク３５と接続する雄タブ７７ａと、該雄タブ７７ａと対向する下方位置に延伸して、後述するコネクタ８１内に導出される雄端子７７ｂとを形成している。
【０００５】
コネクタ８１は、丸型端子４２を接続した電線４４と配索箇所が異なる別系の電線を、例えばエンジンルームより車室内に引き込んで電源供給する際に必要となるもので、中電流以下用の収納部７５と対応した下方位置で、絶縁ハウジング７１と一体的に設けられている。つまり、上記構成をとることにより、コネクタ接続される不図示の相手側コネクタと、電線接続された丸型端子４２とが互いに干渉することなくそれぞれの所定位置に配置できた。そして、コネクタ接続して配索される電線は、電源を車室内に良好に供給することができた。
【０００６】
【発明が解決しようとする課題】
しかしながら、上述した従来のヒューズボックス７０では、コネクタ８１は、接続端子４２と干渉しない位置で、かつ、中電流以下用の収納部７５とは重なり合わない該収納部７５の下方位置にしか設定することができなかったため、所定大きさに限定した絶縁ハウジング内でのスペース効率が悪く、ヒューズ収納部の配置数が減少された。
また、バスバー７７は、バッテリ電源を、一端側に接続される大電流用のヒュージブルリンク３０より、他端側のコネクタ結合部まで導いて車室内へ供給しているため、その通電経路を長くして回路抵抗が増加され、発熱し易かった。
本発明は上記状況に鑑みなされたもので、スペース効率を向上させると共に、バスバーを短尺化して温度上昇を防止させるヒューズボックスを提供し、性能の向上を図ることを目的とする。
【０００７】
【課題を解決するための手段】
上記目的を達成するための本発明に係るヒユーズボックスは、少なくともネジ締めタイプのヒュージブルリンクを挿入する収納部を上方に有すると共に、前記ヒュージブルリンクに接続されるバスバーを内部に一体的に配設した絶縁ハウジングが、前記バスバーを導出させて電源を分配供給するコネクタを連設させてなるヒューズボックスにおいて、前記コネクタを前記収納部に対向した下方位置に形成し、前記バスバーは、前記コネクタ内に導出する部位が前記ヒュージブルリンクを接続する部位より絶縁ハウジング内方に位置するように折曲されたことを特徴とするものである。
【０００８】
そして、上記ヒューズボックスでは、電源を分配供給するためのコネクタを、ネジ締めタイプのヒュージブルリンクの収納部の下方位置に設定すると共に、該コネクタ内に導出するバスバーを、ヒュージブルリンクの固着箇所より一段低く設定したハウジング内方位置に配置されるように折曲したことで、実質的に、コネクタ領域を大電流ヒュージブルリンク用の収納部に重ね合わせさせて、スペース効率を向上させることができた。
また、バッテリ電源と接続された丸型端子に隣接してコネクタ領域を設定したので、バスバーを短尺化して温度上昇が低減できた。
【０００９】
【発明の実施の態様】
以下、本発明に係るヒューズボックスの好適な実施の形態を図面を参照して説明する。
図１は本発明に係るヒューズボックスの一実施形態における部分破断斜視図、図２は図１のヒューズボックスの正面図、図３は図２のＥ矢視による下面図、図４は図３のＰ−Ｐ線断面図である。なお、図１及び図３では、ヒューズボックスに取り付けられる丸型端子及びヒュージブルリンクは、図面を簡明にするために共に省略してある。また、従来構造と同一部材、同一部位には同じ符号を付して説明を行うものとする。
このヒューズボックス１は、略直方体に形成した絶縁ハウジング１１上面に、大電流ヒュージブルリンク用の収納部１３と中電流以下のヒュージブルリンク用の収納部１５とが並設されると共に、コネクタ２１が連設された構成からなる。なお、本実施形態では、大電流ヒュージブルリンク用の収納部１３及び中電流以下のヒュージブルリンク用の収納部１５は共に２箇所ずつ形成してある。
【００１０】
大電流用の収納部１３には、図２に示すように、ネジ締めタイプのヒュージブルリンク３０が挿入可能になされ、中電流以下用の収納部１５には差し込みタイプのヒュージブルリンク３５が挿入可能になされる。
また、ヒューズボックス１は下面が開口され、下方側より、電線４４接続した丸型端子４２等が挿入可能になされている。
【００１１】
一方、絶縁ハウジング１１内には、図３乃至図４にも示すように、２枚の第１及び第２のバスバー３、９がヒュージブルリンク３０〜３５の並設方向に沿って互いに所定間隔だけ離れた状態で一体的に組み込まれている。
また、これらのバスバー３、９間には、複数個のナット７９が絶縁ハウジング１１内に一体的に組み込まれている。つまり、各バスバー３、９は、ナット７９の前面側に位置するように配設されている。従って、これらのナット７９は、各バスバー３、９に透設された長孔５（図１参照）を貫通して外方よりネジ締めされるボルト４０により、電線接続された丸型端子４２及びヒューズ端子３０ａ（図２参照）を各バスバー３、９の表面に着脱自在に固着できる。
【００１２】
然るに、第１のバスバー３は、図３に明瞭に示すように第２のバスバー９よりも並設方向に短縮化されており、一つの大電流用の収納部（図３の左側収納部）１３には配設されていない。従って、この収納部１３では、図２に示すように、第１のバスバー３が省略されて、丸型端子４２は、ボルト４０のナット７９への締めつけにより、ヒューズ端子３０ａと直接接続されている。
【００１３】
処で、上述の第１のバスバー３について更に詳述すると、このバスバー３は、図１に示すように、導電性金属板のプレス加工により形成されており、丸型端子４２を固着接続させる基体部３ａと、該基体部３ａの一端部において上方に延伸して絶縁ハウジング１１内に係止される係止片３ｂと、該係止片３ｂと対向する下方に延伸してコネクタ２１内に導出される雄端子３ｃと、基体部３ａの他端部を屈曲させて形成する案内部３ｄとを具備した構成からなる。なお、案内部３ｄは、バスバー３を絶縁ハウジング１１内に組み込む際、その挿入を良好にさせると同時に、組み込まれた状態でバスバー３を所定位置に位置規制し、かつ、バスバー３を絶縁ハウジング１１内に固着係止させるものである。
また、基体部３ａには、不図示の車両バッテリに直結した電源用の電線４４と接続の丸型端子（図２の右側端子）４２が取り付けられる。
【００１４】
第１のバスバー３は、基体部３ａより延伸する雄端子３ｃが、該基体部３ａの板面に段差を設けて絶縁ハウジング１１内方に位置するように折曲して形成されている。つまり、折曲された雄端子３ｃを有して基体部３ａがナット７９の前面側に配置される第１のバスバー３は、図４に示すように、雄端子３ｃがナット７９を収容保持するように配置されている。
【００１５】
処で、絶縁ハウジング１１は、上面の大電流用の収納部１３のうち、中央寄りに形成される収納部１３に対向した下方位置に、コネクタ２１が連設された構造からなる。従って、第１のバスバー３は、絶縁ハウジング１１内に挿入すると、図１の想像線で示すように、基体部３ａがナット７９の前面側に位置すると同時に、雄端子３ｃが、この中央寄りの収納部１３と対向位置にあるコネクタ２１内に導出される。このとき、雄端子３ｃは、既述したとおり、絶縁ハウジング１１内方に位置するように折曲されているので、コネクタ２１は絶縁ハウジング１１の外表面より突出しない形態で該絶縁ハウジング１１に連設できる。
【００１６】
また、第１のバスバー３は折曲構造に設けられ、既述したように、雄端子３ｃがナット７９を収容保持するようにしているので、ヒューズボックス１の組み立て時、少なくともコネクタ領域と対応位置にあるヒュージブルリンク３０を固定するナット７９は、該第１のバスバー３に先立ってハウジング下方より挿入し、絶縁ハウジング１１内に保持されなければならない。そのため、このナット７９は、図３の二点鎖線枠で示すように、そのナット挿入域Ａが、相手側コネクタを挿入させるコネクタ挿入域Ｂの内側に形成されている。
【００１７】
一方、第２のバスバー９は、絶縁ハウジング１１への挿入方向の、ナット位置に対応する後方側の部位では、図４に示すように、略平坦な板面として構成されている。従って、このバスバー９は、ナット７９と格段の干渉を生じさせることなく挿入でき、不図示の雄タブが中電流以下用の収納部１５に導出されると同時に、基体部９ａが大電流用の収納部１３に対応したナット位置に配置される。
【００１８】
最後に、絶縁ハウジング１１には、既述のナット挿入域Ａとコネクタ挿入域Ｂとの境界に相当する部位に、コネクタ接続する相手側コネクタの挿入深さを規制するために、相手側コネクタの先端面が衝接する当接面１９が形成されている。また、絶縁ハウジング１１は、各バスバー３、９にネジ締めタイプのヒュージブルリンク３０及び丸型端子４２をボルト４０で固着させる際、治具の挿入を可能にするため、ナット位置に対応して外壁面が切り欠かれている。
【００１９】
以上の構成のヒューズボックス１は、絶縁ハウジング１１内に、ナツト７９、バスバー３、９の順に部材が組み込まれた後、各ヒュージブルリンク３０、３５がそれぞれの収容部１３、１５に挿入される。そして、車両バッテリに直結した電源用の電線４４と接続の丸型端子４２が、中電流以下用の収納部１５に対応した位置にあるナット（図１の右端のナット）７９に、第１のバスバー３を介してボルト締めされる。なお、第１のバスバー３は、コネクタ領域に対応した位置のナット７９に螺着するボルト４０によって同時に絶縁ハウジング１１に固着保持される。そして、不図示の各負荷と接続した電線が、ナット接続される丸形端子４２及び不図示の雌タブを介して各バスバー３、９に固着される。さらに、別系の電線を配索する場合には、相手側コネクタをコネクタ２１に接続して行われる。
【００２０】
【発明の効果】
以上述べたとおり、本発明のヒューズボックスによれば、少なくともネジ締めタイプのヒュージブルリンクを挿入する収納部を上方に有すると共に、前記ヒュージブルリンクに接続されるバスバーを内部に一体的に配設した絶縁ハウジングが、前記バスバーを導出させて電源を分配供給するコネクタを連設させてなるヒューズボックスにおいて、前記コネクタを前記収納部に対向した下方位置に形成し、前記バスバーは、前記コネクタ内に導出する部位が前記ヒュージブルリンクを接続する部位より絶縁ハウジング内方に位置するように折曲されており、従来配置のできなかった絶縁ハウジングの、大電流ヒュージブルリンク用の収納部と対応した位置にコネクタが連設できたので、外形寸法が同じ大きさの絶縁ハウジングに比べてスペース効率が向上でき、ヒューズ収納部の配置数を増加させることができる。
また、第１のバスバーは、コネクタ接続して供給する別系のバッテリ電源を、コネクタに隣接する丸型端子より得ているので、通電経路を短縮させて回路抵抗による発熱を低減できる。
【図面の簡単な説明】
【図１】本発明に係るヒューズボックスの一実施形態における部分破断斜視図である。
【図２】図１のヒューズボックスの正面図である。
【図３】図２のＥ矢視による下面図である。
【図４】図３のＰ−Ｐ線断面図である。
【図５】従来のヒューズボックスの縦断面図である。
【図６】図５のＦ矢視による下面図である。
【符号の説明】
１  ヒューズボックス
３  第１のバスバー
９  第２のバスバー
１１  絶縁ハウジング
１３  大電流ヒュージブルリンク用の収納部
１５  中電流以下のヒュージブルリンク用の収納部
２１  コネクタ
３０、３５  ヒュージブルリンク
４０  ボルト
４２  丸型端子（接続端子）
７９  ナット
【図１】
0003625114.tif 000002
【図２】
0003625114.tif 000003
【図３】
0003625114.tif 000004
【図４】
0003625114.tif 000005
【図５】
0003625114.tif 000006
【図６】
0003625114.tif 000007